(57)【要約】【課題】複数のオーバーフロー孔に簡単に取付け可能で、オーバーフロー水の排水性が向上した大容量の洗面ボウルの排水構造を提供する。【解決手段】洗面ボウルＡの側壁面に穿たれた各オーバーフロー孔１、２に接続されるオーバーフロー管１１、２１と、該洗面ボウルＡの底面に設けられた排水口３に嵌装される排水筒部４と、上下端部にフランジを有するリング体である排水アダプタ５とからなり、上記排水筒部４は上記洗面ボウルＡの底面に装着されるフランジ部４１と該フランジ部４１に連接され排水アダプタ５に嵌入する筒体部４２とから形成され、上記フランジ部４１下方の筒体部４２には連通孔４２１が設けられるとともに、上記連通孔４２１の周囲は上記排水アダプタ５が水密的に嵌着され、該排水アダプタ５の周縁部５１には上記各オーバーフロー管１１、２１の端部を受ける接続孔５１１、５１２が設けられる。【選択図】図３
2007224547.tif 000002
【特許請求の範囲】
【請求項１】
複数のオーバーフロー孔を備えた洗面ボウルの排水構造であって、洗面ボウルの側壁面に穿たれた各オーバーフロー孔に接続されるオーバーフロー管と、該洗面ボウルの底面に設けられた排水口に嵌装される排水筒部と、上下端部にフランジを有するリング体である排水アダプタとからなり、上記排水筒部は上記洗面ボウルの底面に装着されるフランジ部と、該フランジ部に連接され上記排水アダプタに嵌入する筒体部とから形成され、上記フランジ部下方の筒体部には連通孔が設けられるとともに、該連通孔の周囲は上記排水アダプタが水密的に嵌着され、該排水アダプタの周縁部には上記各オーバーフロー管の端部を受ける接続孔が設けられた洗面ボウルの排水構造。
【請求項２】
上記オーバーフロー孔が２個である請求項１に記載の洗面ボウルの排水構造。
【請求項３】
上記オーバーフロー管がフレキシブルパイプからなる請求項１に記載の洗面ボウルの排水構造。
【発明の詳細な説明】
【技術分野】
【０００１】
本発明は、洗面ボウルに関する。さらに詳しくは、側壁面に複数のオーバーフロー孔を備えた洗面ボウルの排水構造に関する。
【背景技術】
【０００２】
洗面ボウルに水を溜めて洗顔や手洗いをする際、排水が溢れて床面等を濡らさないように洗面ボウルの側壁部には通常、オーバーフロー孔を設け、オーバーフローした排水は上記オーバーフロー孔からオーバーフロー管を経て排水管に誘導し、排出するようにされている。例えば、下記特許文献１には上記のようにオーバーフローした水を排水ホースを経由して排水誘導継手に接続する構造において、この排水誘導継手と排水栓との方向関係がどのような場合であっても、排水性能を良好なものとする排水誘導継手が開示されている。
【０００３】
一方、近年二人以上の使用者が同時に使用できる大型の洗面化粧台が市販されており、例えば、カランが２個ある場合には、上記洗面ボウルＢの容量も大きく設計されるため、オーバーフロー孔も２個設けて排水性を向上するようにされている。このとき、上記した公知の大容量の洗面ボウルＢにおいては本願図４に点線で示すように第１のオーバーフロー孔１からのオーバーフロー枝管７１と第２のオーバーフロー孔２からのオーバーフロー枝管７２とが合流してオーバーフロー配管７を形成し、オーバーフロー水はこのオーバーフロー配管７を経て排水するようにされている。
【特許文献１】特開２００２−３７１６１１号公報（第１〜３頁、第１図）
【発明の開示】
【発明が解決しようとする課題】
【０００４】
しかしながら、上記オーバーフロー配管は複数の枝管を有するため構造が複雑なものとなり、また、取付け時の位置決め等に手間がかかるため必ずしも作業性がよいとはいえない。また、第１のオーバーフロー孔と第２のオーバーフロー孔とからのオーバーフロー水の流れが均一とならず遍流し、スムースに排出することが困難となるという問題もある。
【０００５】
本発明はこのような問題を解決して、二人以上の使用者が同時に使用できる洗面化粧台に適用され、大容量の洗面ボウルに設けられた複数のオーバーフロー孔に簡単に取付けられるとともに、オーバーフロー水の排水性能を向上させた洗面ボウルの排水構造を提供することをその課題とする。
【課題を解決するための手段】
【０００６】
上記課題を解決するために、本発明においては、つぎのような技術的手段を講じている。すなわち、請求項１に記載の発明によれば、複数のオーバーフロー孔を備えた洗面ボウルの排水構造であって、洗面ボウルの側壁面に穿たれた各オーバーフロー孔に接続されるオーバーフロー管と、該洗面ボウルの底面に設けられた排水口に嵌装される排水筒部と、上下端部にフランジを有するリング体である排水アダプタとからなり、上記排水筒部は上記洗面ボウルの底面に装着されるフランジ部と、該フランジ部に連接され上記排水アダプタに嵌入する筒体部とから形成され、上記フランジ部下方の筒体部には連通孔が設けられるとともに、該連通孔の周囲は上記排水アダプタが水密的に嵌着され、該排水アダプタの周縁部には上記各オーバーフロー管の端部を受ける接続孔が設けられた洗面ボウルの排水構造が提供される。上記フランジ部は洗面ボウルの底面と面一に装着されることが好ましい。また、上記連通孔はフランジ部直下の筒体部に設けることが好ましい。
【０００７】
請求項２に記載の洗面ボウルの排水構造は、請求項１に記載の発明に加えて、上記オーバーフロー孔が２個とされる。オーバーフロー孔は複数であればとくに限定されるものではないが、一般家庭用としてはカランを２個とし、オーバーフロー孔も２個とすることが好ましい。
【０００８】
請求項３に記載の洗面ボウルの排水構造は、請求項１に記載の発明に加えて、上記オーバーフロー管がフレキシブルパイプからなるものが好ましく用いられる。フレキシブルパイプとしてはとくに限定されず、可撓性を有するプラスチックスから形成されたもの、蛇腹構造を有する金属製のもの等をあげることができるがコスト的な見地からプラスチックス製のものがとくに好ましく用いられる。
【発明の効果】
【０００９】
請求項１に記載の発明にかかる洗面ボウルの排水構造は上記のとおりであり、複数のオーバーフロー孔に各々接続されるオーバーフロー管と、該洗面ボウルの底面に穿設された排水口に装着されるフランジ部を有する排水筒部と、上下端部にフランジを有するリング体である排水アダプタとからなり、上記フランジ部下方の筒体部に設けられた連通孔の周囲は上記排水アダプタが水密的に嵌着され、該排水アダプタには上記各オーバーフロー管の端部を受ける接続孔が設けられているため、それぞれのオーバーフロー孔からの排水はそれぞれ個別のオーバーフロー管を経て排水アダプタに流れ込み、漏水することなく連通孔を経て排水される。また、分岐構造ではないため、流れに対する抵抗が少なく、スムースに排水することが可能となり、複数のオーバーフロー管を用いることによって十分な排水性能を確保することができる。
【００１０】
請求項２に記載の洗面ボウルの排水構造は上記のとおりであり、請求項１の洗面ボウルの排水構造の有する効果に加え、カランの数に合わせて上記オーバーフロー孔を２個とすることにより、朝の洗面時等に２〜３人同時に洗面化粧台を使用することができる。そのため、大家族等の場合、洗面、手洗い等に要する時間を効率的に使うことができる。
【００１１】
請求項３に記載の洗面ボウルの排水構造は上記のとおりであり、請求項１の洗面ボウルの排水構造の有する効果に加え、上記オーバーフロー管がフレキシブルパイプからなるため、洗面ボウルの裏面に位置する各オーバーフロー孔に取り回しよく、接続することができる。また、各オーバーフロー管の端部を作業性よく排水アダプタのそれぞれの接続孔に挿入することができる。
【発明を実施するための最良の形態】
【００１２】
以下、本発明の実施形態について図面を参照して詳細に説明する。図１は２個のオーバーフロー孔を有する本発明にかかる洗面ボウルの排水構造の概略構成を部分的に示す説明図である。上記洗面ボウルＡの側壁面には第１オーバーフロー孔１と第２オーバーフロー孔２とが穿たれるとともに、底面には排水口３が設けられ、この排水口３には矢印で示すように排水筒部４が嵌装される。また、第１オーバーフロー孔１には点線で示す第１オーバーフロー管１１が、また第２オーバーフロー孔２には点線で示す第２オーバーフロー管２１が取付けられ、上記第１、第２オーバーフロー管１１、２１はそれぞれ図２に示す排水アダプタ５に接続される。
【００１３】
図２は上記第１、第２オーバーフロー管１１、２１、排水筒部４および排水アダプタ５を示す分解斜視図である。図２に示すように、上記排水筒部４はフランジ部４１と排水口３に嵌挿される筒体部４２とからなり、フランジ部４１は洗面ボウルＡの底面に面一に装着されるとともに、このフランジ部４１直下の筒体部４２には排水が流入する連通孔４２１が穿たれている。また、排水アダプタ５は上下端部にフランジを有するリング体とされ、その周縁部５１には、第１接続孔５１１と第２接続孔５１２が設けられるとともに、それぞれ、第１オーバーフロー管１１と第２オーバーフロー管２１の端部が上記第１接続孔５１１と第２接続孔５１２とに挿入される。このとき、各挿入部位はシーリング材等公知の手段を用いて水漏れのないように止水される。
【００１４】
図３は、上記排水口３に嵌挿され、洗面ボウルＡの底面から突き出た排水筒部４２の上記連通孔４２１の周囲に排水アダプタ５を嵌着した状態を示す正断面図である。本実施形態においては、排水筒部４２と排水アダプタ５とはシリコン系の止水材を介装する等、公知の止水方法を用いて水密的に螺合されている。
【００１５】
図３に示すように、図１の第１オーバーフロー孔１からオーバーフローした排水は第１オーバーフロー管１１を経て上下端部にフランジを有するリング体である排水アダプタ５に流入し、連通孔４２１から矢印で示すように筒体部４２内に流れ込む。同様にして第２オーバーフロー孔２からオーバーフローした排水も第２オーバーフロー管２１を経て排水アダプタ５に流入し、連通孔４２１から矢印で示すように筒体部４２に流れ込み、かくして、第１オーバーフロー孔１および第２オーバーフロー孔２からのオーバーフロー水は筒体部４２を経由し、筒体部４２に接続された排水本管６から排水ピットあるいは下水道に排出される。
【００１６】
このように、第１オーバーフロー孔１と第２オーバーフロー孔２からの排水は個別のオーバーフロー管１１とオーバーフロー管２１とを経て排水されるため、流れに対する抵抗が少なく、スムースに排水することができる。また、２本のオーバーフロー管を用いるため、オーバーフローする排水が多量となっても十分に排水量を確保することができる。なお、上記実施形態はオーバーフロー孔が２個の場合について述べたが、３個以上の場合についても適用可能であり、本発明の特許請求の範囲を逸脱しない限り、本発明の技術的範囲に含まれる。
【図面の簡単な説明】
【００１７】
【図１】本発明にかかる洗面ボウルの排水構造の概略構成を部分的に示す説明図である。
【図２】本発明にかかる２本のオーバーフロー管、排水筒部および排水アダプタを示す分解斜視図である。
【図３】洗面ボウルの底面から突き出た排水筒部の連通孔の周囲に排水アダプタを嵌着した状態を示す正断面図である。
【図４】公知の大容量の洗面ボウルにおけるオーバーフロー配管を示す説明図である。
【符号の説明】
【００１８】
Ａ          本発明にかかる洗面ボウル
Ｂ          公知の洗面ボウル
１          第１オーバーフロー孔
１１        第１オーバーフロー管
２          第２オーバーフロー孔
２１        第２オーバーフロー管
３          排水口
４          排水筒部
４１        フランジ部
４２        筒体部
４２１      連通孔
５          排水アダプタ
５１        周縁部
５１１      第１接続孔
５１２      第２接続孔
６          排水本管
７          公知技術におけるオーバーフロー配管
７１        オーバーフロー枝管
７２        オーバーフロー枝管
【図１】
2007224547.tif 000003
【図２】
2007224547.tif 000004
【図３】
2007224547.tif 000005
【図４】
2007224547.tif 000006